(57)【要約】【課題】  ゴースト像が見える虞が少ない表示装置を提供する。【解決手段】  発光型表示器２４は、第一の偏光部材２８ｂを有し、表示光Ｌを発する。反射鏡３５は表示光Ｌを反射させる。窓部４６は、反射鏡３５で反射された表示光Ｌが通過する。反射鏡３５に位相差板３５ａを設ける。窓部４６に第二の偏光部材４６ａを設ける。第二の反射鏡６７は誘電体膜６７ａを有する。第二の反射鏡６７は、発光型表示器２４が発した表示光Ｌを透過させ、反射鏡３５は、第二の反射鏡６７を透過した表示光Ｌを反射させて第二の反射鏡６７に向かわせる。第二の反射鏡３７は、反射鏡３５で反射された表示光Ｌを更に反射させ、表示光Ｌを窓部４６に向かわせる。【選択図】図１
2008070504.tif 000002
【特許請求の範囲】
【請求項１】
第一の偏光部材を有し表示光を発する発光型表示器と、前記表示光を反射させる反射鏡と、前記反射鏡で反射された前記表示光が通過する窓部と、を備えた表示装置であって、
前記反射鏡に位相差板を設けると共に、前記窓部に第二の偏光部材を設けたことを特徴とする表示装置。
【請求項２】
前記反射鏡で反射された前記表示光を更に反射させ、前記表示光を前記窓部に向かわせる第二の反射鏡を有することを特徴とする請求項１に記載の表示装置。
【請求項３】
前記第二の反射鏡は凹面鏡であることを特徴とする請求項２に記載の表示装置。
【請求項４】
前記第二の反射鏡は誘電体膜を有することを特徴とする請求項２に記載の表示装置。
【請求項５】
前記第二の反射鏡は、前記発光型表示器が発した前記表示光を透過させると共に、前記反射鏡は、前記第二の反射鏡を透過した前記表示光を反射させて前記第二の反射鏡に向かわせることを特徴とする請求項２に記載の表示装置。
【発明の詳細な説明】
【技術分野】
【０００１】
本発明は、表示パネル（液晶表示パネル，有機ＥＬパネル等）を備え、虚像を表示する表示装置に関するものである。
【背景技術】
【０００２】
従来より、車両のフロントガラス或いはコンバイナと称される半透過板に表示光を投影し、虚像を表示する車両用ヘッドアップディスプレイ装置が種々提案されており、例えば特許文献１に開示されている。車両用ヘッドアップディスプレイ装置１は、透光性の窓部２を備えたハウジング３に液晶表示器４及び反射鏡５を収容したものであり、車両のダッシュボード内に配設される（図４及び図５参照）。
【特許文献１】特開２００４−１７７０８号公報
【０００３】
液晶表示器４は、液晶表示パネル６と、この液晶表示パネル６を透過照明する発光ダイオード等の発光素子７と、この発光素子７に固着されたヒートシンク８と、を備えたものである。液晶表示パネル６は、透明電極膜が形成された一対の透光性基板に液晶を封入した液晶セルと、この液晶セルの前後両面に貼着された偏光板とからなるものである。液晶表示パネル６を駆動する駆動回路１０及び発光素子７を駆動する駆動回路１１は、回路基板１２に搭載されている。
ヘッドアップディスプレイ装置１が投射する表示光Ｌはフロントガラス１３により観察者１４に反射され、観察者１４は虚像Ｖを風景と重畳させて視認することができる。
【発明の開示】
【発明が解決しようとする課題】
【０００４】
しかしながら、液晶表示器４から発せられる迷光Ｍによってゴースト像が生ずる虞があった。つまり、液晶表示器４から発せられた表示光Ｌが反射鏡５で反射されて窓部２から出射する正規の光路以外に、液晶表示器４から発せられた迷光Ｍが窓部２から出射する光路があり、前記迷光Ｍがフロントガラス１３に投影されてゴースト像になるという問題があった。
本発明は、この問題に鑑みなされたものであり、ゴースト像が見える虞が少ない表示装置を提供するものである。
【課題を解決するための手段】
【０００５】
本発明は、請求項１に記載したように、第一の偏光部材２８ｂを有し表示光Ｌを発する発光型表示器２４と、前記表示光Ｌを反射させる反射鏡３５と、前記反射鏡３５で反射された前記表示光Ｌが通過する窓部４６と、を備えた表示装置であって、前記反射鏡３５に位相差板３５ａを設けると共に、前記窓部４６に第二の偏光部材４６ａを設けたものである。
【０００６】
また、本発明は、請求項２に記載したように、前記反射鏡３５で反射された前記表示光Ｌを更に反射させ、前記表示光Ｌを前記窓部４６に向かわせる第二の反射鏡３７，６７を有するものである。
【０００７】
また、本発明は、請求項３に記載したように、前記第二の反射鏡３７，６７は凹面鏡であるものである。
【０００８】
また、本発明は、請求項４に記載したように、前記第二の反射鏡６７は誘電体膜６７ａを有するものである。
【０００９】
また、本発明は、請求項５に記載したように、前記第二の反射鏡６７は、前記発光型表示器２４が発した前記表示光Ｌを透過させると共に、前記反射鏡３５は、前記第二の反射鏡６７を透過した前記表示光Ｌを反射させて前記第二の反射鏡６７に向かわせるものである。
【発明の効果】
【００１０】
発光型表示器が発した迷光は第二の偏光部材によって遮られるため、ゴースト像が発生する虞が少ない。
【発明を実施するための最良の形態】
【００１１】
以下、添付の図面に基づいて、本発明の一実施形態について説明する。図１及び図２は第一実施形態を示すものである。
【００１２】
車両用ヘッドアップディスプレイ装置２０は、液晶表示器２４，反射器２５，２６等をハウジング２７に収容したものである。液晶表示器２４は、液晶表示パネル２８と、発光素子２９と、配線基板３０と、ケース体３１とからなるものである。液晶表示パネル２８は、透明電極膜が形成された一対の透光性基板に液晶を封入した液晶セル２８ａと、液晶セル２８ａの前面に貼着された偏光板２８ｂと、液晶セル２８ａの後面に貼着された偏光板２８ｃと、からなるものであり、ケース体３１に保持されている。ケース体３１は、略角筒形状になっており、ケース体３１の後端部は、後述する放熱部材に固定されている。発光素子２９は、液晶表示パネル２８の後方に配置され、液晶表示パネル２８を透過照明する。発光素子２９は、配線基板３０に搭載されている。
【００１３】
反射器２５は、平面鏡３５及び支持部材３６を有している。支持部材３６は、ハウジング２７に固定されており、平面鏡３５を支持する。平面鏡３５の反射面には位相差板３５ａが貼着されている。この位相差板３５ａは、「１／４波長板」と称されることもある。反射器２６は、凹面鏡３７，ミラーホルダー３８，ステッピングモータ３９，支持部材４０を有している。凹面鏡３７は、樹脂（例えばポリカーボネート）に金属（例えばアルミニウム）を蒸着させ反射面３７ａを形成したものである。反射面３７ａは凹面となっており、平面鏡３５にて反射された表示光Ｌが拡大されて虚像Ｖが表示される。凹面鏡３７はミラーホルダー３８に両面粘着テープにより接着されている。ミラーホルダー３８は樹脂（例えばＡＢＳ）からなるものであり、歯車部４３及び軸部４４が一体に形成されている。
【００１４】
ステッピングモータ３９の回動軸には歯車４５が取付けられており、この歯車４５は、ミラーホルダー３８の歯車部４３と噛合されている。凹面鏡３７はミラーホルダー３８と共に回動可能な状態で支持されており、ステッピングモータ３９により凹面鏡３７を回動させ、表示光Ｌの投射方向を調整することができる。観察者は、押ボタンスイッチ（図示しない）を操作し表示光Ｌが目の位置に反射されるように（即ち、虚像Ｖを視認できるように）凹面鏡３７の角度を調整する。
【００１５】
ハウジング２７は、樹脂（例えばポリプロピレン）からなり、液晶表示器２４及び反射器２５，２６が収容される。ハウジング２７には表示光Ｌが出射する窓部４６が設けられている。この窓部４６はアクリル等の透光性樹脂からなるものであり、湾曲形状になっている。窓部４６の裏面には、偏光板４６ａが貼着されている。ハウジング２７には、車両用ヘッドアップディスプレイ装置２０を車体に取付けるための支持部２７ａが設けられており、この支持部２７ａには、固定用のボルト等を挿入する孔部２７ｂが形成されている。ハウジング２７には遮光壁２７ｃが設けられており、太陽光等の外光が液晶表示器１５に入射し虚像Ｖが見えにくくなる現象（ウォッシュアウト）を防止している。遮光壁２７ｃは平板形状になっており、ハウジング２７の上部から斜めに垂下するように形成されている。また、ハウジング２７には、液晶表示器２４のケース体３１が挿通される開口部２７ｄが形成されている。
【００１６】
５０はアルミニウム等の金属からなる放熱部材であり、この放熱部材５０は、ハウジング２７外に配置されており、車両用ヘッドアップディスプレイ装置２０を車体に取付けるための支持部５０ａと、この支持部２７ａに形成された孔部２７ｂと、複数の放熱フィン５０ｃと、後述する回路基板が配置される凹部５０ｄと、を有している。放熱部材５０の孔部５０ｂは、ハウジング２７の孔部２７ｂに対応する箇所に形成されている。
【００１７】
５１は回路基板であり、この回路基板５１には、液晶表示パネル２８を駆動する駆動回路５２と、発光素子２９を駆動する駆動回路５３とが搭載されている。回路基板５１は、スペーサ５４を介して、放熱部材５０の底面側に設けられた凹部５０ｄに配置されている。回路基板５１に設けられたコネクタ５７と配線基板３０に設けられたコネクタ５６を可撓性配線板（ＦＰＣ）等の配線部材５５によって接続することによって、回路基板５１と発光素子２９が電気的に接続されている。
【００１８】
ハウジング２７及び放熱部材５０には、配線部材５５が貫通する孔部２７ｅ及び孔部５０ｅが夫々形成されている。駆動回路５３は、シリコーンゴム等の弾性体からなる熱伝導シート（図示しない）を介して、放熱部材５０に設けられた凸部５０ｇに当接している。発光素子２９及び駆動回路５３が発した熱は、放熱部材５０に吸収され、放熱フィン５０ｃ等から空気中に放熱されると共に、支持部５０ａから車体に熱伝達される。
【００１９】
６０は、亜鉛メッキ鋼板等の電磁シールド性を有する金属からなるカバー部材であり、このカバー部材６０によって、回路基板５１が収容された放熱部材５０の凹部５０ｄが覆われている。カバー部材６０には開口部６０ａが形成されており、ハウジング５０に設けられた係止爪５０ｆに係止される。
【００２０】
図２は、偏光板２８ｂ，位相差板３５ａ及び偏光板４６ａの作用を模式的に示したものである。液晶表示パネル２８から出射した表示光Ｌは直線偏光であり、この直線偏光は位相差板３５を通過して円偏光となる。前記円偏光は、偏光板４６ａを通過して直線偏光となる（図２（ａ）参照）。一方、液晶表示パネル２８から出射した迷光Ｍは、直線偏光であり、偏光板４６ａに遮られる（図２（ｂ）参照）。
【００２１】
図３は、第二実施形態を示すものである。第二実施形態は、液晶表示パネル２８の位置と、凹面鏡６７とを除き、第一実施形態と同様であるので、液晶表示パネル２８及び凹面鏡６７について説明し、他の構成についての説明を省略する。
凹面鏡６７は、樹脂からなる基板に誘電体膜６７ａを形成したものである。液晶表示パネル２８は、凹面鏡６７の後面側に配置されており、発光素子（図示しない）によって透過照明される。液晶表示パネル２８から出射した表示光Ｌは、凹面鏡６７を透過し、反射鏡３５によって反射され、更に凹面鏡６７によって反射され、窓部４６を通過する。
【００２２】
第一，第二実施形態によれば、液晶表示器２４が発した迷光Ｍが、窓部４６に設けられた辺凹版４６ａによって遮られるため、ゴースト像が生ずる虞が少ない。
なお、本発明は、第一，第二実施形態に限定されるものでなく、種々の変形が可能であり、例えば、第一実施形態において、位相差板３５ａは平面鏡３５に設けられていたが、凹面鏡３７の反射面３７ａに位相差板３５ａを設けてもよい。
【図面の簡単な説明】
【００２３】
【図１】本発明の第一実施形態を示す断面図。
【図２】同上実施形態を示す要部模式図。
【図３】本発明の第二実施形態を示す断面図。
【図４】従来例を示す断面図。
【図５】同上従来例を示すヘッドアップディスプレイの概観図。
【符号の説明】
【００２４】
２４    液晶表示器（発光型表示器）
２８    液晶表示パネル
２８ｂ  偏光板（第一の偏光部材）
２９    発光素子
３５    平面鏡（反射鏡）
３５ａ  位相差板
３７    凹面鏡（反射鏡）
４６    窓部
４６ａ  偏光板（第二の偏光部材）
６７    凹面鏡（反射鏡）
６７ａ  誘電体膜
Ｌ      表示光
Ｍ      迷光
【図１】
2008070504.tif 000003
【図２】
2008070504.tif 000004
【図３】
2008070504.tif 000005
【図４】
2008070504.tif 000006
【図５】
2008070504.tif 000007